(57)【要約】      （修正有）【課題】足裏に加えて、足指の洗浄効果も高い足洗い具を提供する。【解決手段】足洗い具１は、板状の本体部２と、本体部２の一方の主面２ａに設けられたブラシ部３とを備えている。ブラシ部３は、複数の毛部５を備え、本体部２の長さ方向Ｙにおける一方の端部２ｃに配置された毛部５の高さ寸法が、本体部２の長さ方向Ｙにおける他方の端部２ｄに配置された毛部５の高さ寸法よりも高い。【選択図】図１
0003203632.tif 000002
【実用新案登録請求の範囲】
【請求項１】
板状の本体部と、
前記本体部の一方の主面に設けられたブラシ部とを備え、
前記ブラシ部は、複数の毛部を備え、
前記本体部の長さ方向における一方の端部に配置された前記毛部の高さ寸法が、前記長さ方向における他方の端部に配置された前記毛部の高さ寸法よりも大きくなっている足洗い具。
【請求項２】
前記ブラシ部は、前記一方の端部において、高さ寸法の大きい前記複数の毛部によって構成された長毛部と、前記他方の端部において、高さ寸法の小さい前記複数の毛部によって構成された短毛部と、前記長毛部と前記短毛部の間において、高さ寸法の異なる前記複数の毛部によって構成された傾斜部とを備え、
前記傾斜部において、前記毛部の高さ寸法が、前記短毛部から前記長毛部に向かうにつれて徐々に大きくなっている請求項１記載の足洗い具。
【請求項３】
前記傾斜部を構成する前記複数の毛部の各先端面は、前記傾斜部の傾斜に沿って傾斜している請求項２記載の足洗い具。
【請求項４】
前記本体部を平面視したときに、前記ブラシ部の長さ寸法は、前記本体部の幅方向中央部から幅方向両端部に向かうにつれて長くなっている請求項１から請求項３のいずれか１項記載の足洗い具。
【請求項５】
前記本体部の前記一方の主面に、前記毛部よりも径寸法の大きい柱部が複数個設けられている請求項１から請求項４のいずれか１項記載の足洗い具。
【請求項６】
前記柱部の高さ寸法は、前記毛部の高さ寸法よりも小さくなっている請求項５記載の足洗い具。
【請求項７】
前記柱部が、前記複数の毛部の間に配置されている請求項５又は請求項６記載の足洗い具。
【請求項８】
複数の前記柱部の少なくとも一つは、先端面が曲面に構成されている略円柱形状である請求項５から請求項７のいずれか１項記載の足洗い具。
【請求項９】
複数の前記柱部の少なくとも一つは、先端面が曲面に構成されている略円錐形状である請求項５から請求項８のいずれか１項記載の足洗い具。
【考案の詳細な説明】
【技術分野】
【０００１】
本考案は、足を洗うために用いられる足洗い具に関する。
【背景技術】
【０００２】
従来、足を洗う道具として、様々な足洗い具が利用されている（例えば、特許文献１）。これらの足洗い具には、ブラシ部が設けられているものがある。このようなブラシ部を設けた足洗い具においては、ブラシ部に足裏を擦り付けることによって、汚れを除去して足を洗浄することができる。
【先行技術文献】
【特許文献】
【０００３】
【特許文献１】特開２００３−３１０４７３号公報
【考案の概要】
【考案が解決しようとする課題】
【０００４】
しかしながら、足裏に加えて、足指の洗浄効果も高い足洗い具が求められている。本考案は、このような要求に応えるために、足裏に加えて、足指の洗浄効果も高い足洗い具を提供することを目的とする。
【課題を解決するための手段】
【０００５】
上記課題を解決するために、本考案は以下の手段を提供する。
本考案に係る足洗い具は、板状の本体部と、本体部の一方の主面に設けられたブラシ部とを備えている。ブラシ部は、複数の毛部を備え、本体部の長さ方向における一方の端部に配置された毛部の高さ寸法が、本体部の長さ方向における他方の端部に配置された毛部の高さ寸法よりも大きくなっている。
したがって、本実施形態に係る足洗い具によれば、足裏に加えて、足指の洗浄効果も高めることができる。
【０００６】
例えば、ブラシ部は、本体部の一方の端部において、高さ寸法の大きい複数の毛部によって構成された長毛部と、本体部の他方の端部において、高さ寸法の小さい複数の毛部によって構成された短毛部と、長毛部と短毛部の間において、高さ寸法の異なる複数の毛部によって構成された傾斜部とを備え、傾斜部において、毛部の高さ寸法が、短毛部から長毛部に向かうにつれて徐々に大きくなっている。
これにより、利用者の足指が高さ寸法の大きい毛部に進入する際に、この毛部から受ける抵抗が緩和されることになる。すなわち、傾斜部において、足指の先端が、徐々に長くなる毛部に段階的に接することになるため、足指をよりスムーズに上記毛部に進入させることができる。
【０００７】
一例として、傾斜部を構成する複数の毛部の各先端面は、傾斜部の傾斜に沿って傾斜している。
これにより、各毛部の先端面を擦りながら高さ寸法の大きい毛部に進入する足指の移動が、より滑らかになる。したがって、上記毛部に足指を進入させる際に、利用者に快適な触感を与えることができる。
【０００８】
例えば、本体部を平面視したときに、ブラシ部の長さ寸法は、本体部の幅方向中央部から幅方向両端部に向かうにつれて大きくなっている。
これにより、足洗い具の幅方向中央部の位置が明確になり、利用者が両足をブラシ部に載置する際に、両足を置く位置を直感的に把握することができる。
【０００９】
一例として、本体部の一方の主面に、毛部よりも径寸法の大きい柱部が複数個設けられている。
これにより、足裏の支持力を高めることができる。さらに、柱部によって足裏が刺激されるため、足裏のマッサージ及びツボ押し効果を発揮することができる。
【００１０】
柱部の高さ寸法は、毛部の高さ寸法よりも小さくてもよい。
これにより、足裏は柱部よりも先に毛部と接触することになる。したがって、毛部によって達成される洗浄力を低下させることなく、前述した柱部の効果を発揮することができる。
【００１１】
柱部が、複数の毛部の間に配置されていてもよい。
これにより、柱部の配置領域においても、毛部による洗浄効果を発揮することができる。また、毛部に可撓性がある場合、毛部の先端部分に擦り付けられる足裏の移動に伴って、毛部が倒れる可能性がある。しかしながら、毛部が倒れる際に、毛部の先端部分が柱部にぶつかるため、柱部によって毛部の傾きの程度を軽減することができる。したがって、足洗い具の使用時において、ブラシ部の上に載置された足裏の安定感を高めることができる。
【００１２】
例えば、複数の柱部の少なくとも一つは、先端面が曲面に構成されている略円柱形状である。
この場合、柱部の先端面が曲面であるため、足裏に快適な感触を与えると共に、マッサージ及びツボ押し効果をさらに高めることができる。また、上記略円柱形状と基端部の径寸法が同じ略円錐形状の柱部と、上記略円柱形状の柱部とを比較した場合、略円柱形状の柱部の方が、足裏に接触する領域が広いため、足裏のより広い領域に、より緩やかな刺激を与えることができる。
【００１３】
一例として、複数の柱部の少なくとも一つは、先端面が曲面に構成されている略円錐形状である。
この場合、柱部の先端面が曲面であるため、足裏に快適な感触を与えると共に、マッサージ及びツボ押し効果をさらに高めることができる。また、上記略円錐形状と基端部の径寸法が同じ略円柱形状の柱部と、上記略円錐形状の柱部とを比較した場合、略円錐形状の柱部の方が、足裏に接触する領域が狭いため、足裏のより狭い領域に、より強い刺激を与えることができる。
【考案の効果】
【００１４】
本考案に係る足洗い具によれば、本体部の長さ方向における一方の端部に配置された毛部の高さ寸法が、本体部の長さ方向における他方の端部に配置された毛部の高さ寸法よりも大きくなっているため、足裏に加えて、足指の洗浄効果も高めることができる。
【図面の簡単な説明】
【００１５】
【図１】本実施形態に係る足洗い具の平面図である。
【図２】図１に示す足洗い具の斜視図である。
【図３】図１に示す足洗い具の側面図である。
【図４】（ａ）図１に示す足洗い具において、一方の端部を側面側からみた部分拡大斜視図である。（ｂ）短毛部を構成する毛部と傾斜部を構成する毛部の部分拡大斜視図である。
【図５】図１に示す足洗い具において、一方の端部を平面側からみた部分拡大斜視図である。
【図６】図１の足洗い具における柱部の配置領域及びその周辺部分を示す部分拡大平面図である。
【図７】（ａ）図６のＡ−Ａ´線端面図である。（ｂ）図６のＢ−Ｂ´線端面図である。（ｃ）図６のＣ−Ｃ´線端面図である。
【図８】図１に示す足洗い具の底面図である。
【図９】図１に示す足洗い具の側面側からみた使用状態図である。
【考案を実施するための形態】
【００１６】
以下、本考案の実施形態における足洗い具について説明する。なお、「上」、「下」、「右」、「左」、「裏」、「外」等の方向を示す語は、図面の状態に基づく便宜上のものであり、実際の方向はこれに限定されるものではない。
図１は、足洗い具１の平面図であり、図２は足洗い具１の斜視図である。図３は足洗い具１の側面図である。足洗い具１は、足裏及び足指等を洗浄するために用いられものである。本実施形態において、足洗い具１は、ポリ塩化ビニル等の樹脂によって形成されている。
【００１７】
足洗い具１は、本体部２とブラシ部３を備えている。本体部２は、板状に形成されている。ブラシ部３は、本体部２の一方の主面２ａに設けられている。ブラシ部３は、複数の毛部５を備えている。複数の毛部５は、それぞれ、本体部２の一方の主面２ａから垂直方向に起立している。
図１及び図２に示すように、複数の毛部５は、本体部２の一方の主面２ａの全面にわたって、密集して設けられている。毛部５は、横断面形状が円形の長尺状部材であり、横断面の径寸法は、一例として、約２ｍｍである。例えば、１ｃｍ２に、約６〜９本の毛部５を配置してもよい。また、隣り合う毛部５の間に２ｍｍ程度の隙間を空けて、複数の毛部５を配置してもよい。本実施形態において、各毛部５は可撓性を有している。
【００１８】
図３に示すように、本体部２の長さ方向Ｙにおける一方の端部２ｃに配置された毛部５の高さ寸法ｈ１は、本体部２の長さ方向Ｙにおける他方の端部２ｄに配置された毛部５の高さ寸法ｈ２よりも大きくなっている。なお、高さ寸法とは、高さ方向Ｈにおける寸法である。本実施形態において、毛部５の高さ寸法は、本体部２の主面２ａの高さ位置から毛部５の先端の高さ位置までの寸法になる。
ブラシ部３において、高さ寸法がより大きい毛部５によって構成された部分を長毛部８とし、高さ寸法がより小さい毛部５によって構成された部分を短毛部９とする。一例として、長毛部８における毛部５の高さ寸法ｈ１は、約３５ｍｍであり、短毛部９における毛部５の高さ寸法ｈ２は約１７ｍｍである。
【００１９】
ブラシ部３は、本体部２の一方の端部２ｃにおいて、傾斜部６を備えている。傾斜部６は、長毛部８と短毛部９の間に設けられている。傾斜部６には高さ寸法が異なる複数の毛部５が配置されている。図３及び図４（ａ）に示すように、傾斜部６における毛部５の高さ寸法は、短毛部９から長毛部８に向かうにつれて徐々に大きくなっている。
【００２０】
図４（ｂ）に示すように、傾斜部６における毛部５の先端面１１は、毛部５の中心軸Ｚ１に対して傾斜した楕円形状である。先端面１１の傾斜は、傾斜部６の傾斜に沿うものである。すなわち、上記毛部５の先端部５ｄにおいて、本体部２の一方の端部２ｃ側の高さ寸法５ａが、本体部２の他方の端部２ｄ側の高さ寸法５ｂよりも大きくなっている。
【００２１】
短毛部９は、本体部２の他方の端部２ｄから、本体部２の長さ方向中央を超えて傾斜部６に至るまで、本体部２の一方の端部２ｃに向かって延びている。
図４（ｂ）に示すように、短毛部９の先端面１１は円形であり、毛部５の中心軸Ｚ１に対して垂直方向に延びている。
【００２２】
図１に示すように、本体部２の外縁１２は、平面視したときに、緩やかな曲線によって構成されたリンゴ形状を表している。本体部２は、長さ方向Ｙに延びる仮想中心線Ｚ２に対して、左右対称となるように形成されている。図１及び図５に示すように、本体部２の外縁１２は、平面視したときに、本体部２の一方の端部２ｃと他方の端部２ｄにおいて、幅方向中央部１３部分が本体部２の中心に向かってくぼんでいる。すなわち、本体部２の一方の端部２ｃにおいて、その外縁１２に第１の凹部１４が形成され、本体部２の他方の端部２ｄにおいて、その外縁１２に第２の凹部１５が形成されている。本体部２の長さ寸法（長さ方向Ｙにおける寸法）は、第１の凹部１４及び第２の凹部１５が形成されている幅方向中央部１３から、幅方向両端部２ｅ，２ｆに向かうにつれて長くなっている。
外縁１２に沿って設けられている本体部２の外縁上端２３は、主面２ａよりも上方に突出している。一例として、外縁上端２３は、主面２ａから約１〜２ｍｍ突出している。
【００２３】
ブラシ部３は、本体部２の主面２ａの全面にわたって設けられているため、平面視したときのブラシ部３の外縁１６の形状は、本体部２の外縁１２の形状と同様である。したがって、平面視したときのブラシ部３の長さ寸法は、本体部２の幅方向中央部１３から幅方向両端部２ｅ，２ｆに向かうにつれて長くなっている。
【００２４】
図１及び図６に示すように、本体部２の一方の主面２ａに、柱部１７が複数個設けられている。柱部１７は、一方の主面２ａから垂直方向に起立している。柱部１７の配置領域１９は、幅方向Ｘ及び長さ方向Ｙにおける本体部２の中央部分において、やや他方の端部２ｄ寄りに配されている。図６に示すように、幅方向Ｘに直線状に配された複数の柱部１７が、長さ方向Ｙに５列設けられている。この５列のうち、長さ方向中央に位置する第３列Ｌ３の幅寸法（幅方向Ｘにおける寸法）が最も長く、第３列Ｌ３から本体部２の長さ方向両端部２ｃ，２ｄに向かうにつれて、列の長さは短くなる。すなわち、第１列Ｌ１及び第５列Ｌ５の幅寸法が最も短くなっている。
【００２５】
第３列Ｌ３には、９個の柱部１７が等間隔で直線状に配置されている。第３列Ｌ３において、中心に位置する柱部１７（すなわち、端から５番目の柱部）１７ａは、本体部２の仮想中心線Ｚ２上に配置されている。仮想中心線Ｚ２の左右において、平面視したときに、配置領域１９において外側に配置されている柱部１７を結ぶと、仮想六角形２０が形成されることになる。仮想六角形２０の配置領域１９において、柱部１７は千鳥配置されている。柱部１７の形状及び配置パターンは、仮想中心線Ｚ２に対して、左右対称である。柱部１７は、複数の毛部５の間に配置されている。複数の毛部５は、複数の柱部１７のそれぞれを取り囲んでいる。したがって、隣り合う柱部１７の間には、１本又は複数本の毛部５が配置されている。
【００２６】
図７に示すように、短毛部９において、複数の毛部５の高さ寸法ｈ２は同一である。毛部５の基端部５ｃと、柱部１７の基端部１７ｄは、本体部２の主面２ａと一体的に形成されていて、主面２ａに固定されている。
柱部１７の径寸法ｄ１は、毛部５の径寸法ｄ２よりも大きくなっている。なお、毛部５の径寸法ｄ２は、基端部５ｃから先端部５ｄに至るまで同一である。また、本実施形態においては、すべての毛部５は同じ太さ（径寸法ｄ２）になっている。
【００２７】
柱部１７の高さ寸法ｈ３は、毛部５の高さ寸法ｈ２よりも小さくなっている。但し、本実施形態において、柱部１７の高さ寸法ｈ３は、毛部５の高さ寸法ｈ２の１／２以上の高さを有している。
本実施形態においては、２種類の柱部１７が設けられている。第１の柱部１７ｂは、先端面１８が曲面に構成されている略円柱形状である。第２の柱部１７ｃは、先端面１８が曲面に構成されている略円錐形状である。第１の柱部１７ｂ及び第２の柱部１７ｃの高さ寸法ｈ３は、同一である。また、第１の柱部１７ｂの基端部１７ｄと、第２の柱部１７ｃの基端部１７ｄの径寸法は、同一である。第１の柱部１７ｂ及び第２の柱部１７ｃは可撓性を有している。
【００２８】
なお、図７（ｂ）において、柱部１７よりも高さ寸法が小さい部材は、補強部２１である。補強部２１も柱部１７と同様に、本体部２の一方の主面２ａから垂直方向に起立している。補強部２１の径寸法は柱部１７と同一であるが、補強部２１の高さ寸法ｈ４は柱部１７の高さ寸法ｈ３よりも小さい。補強部２１の高さ寸法ｈ４は、毛部５の高さ寸法ｈ２の１／２以下である。補強部２１の高さ寸法ｈ４が小さいため、補強部２１の上方には、毛部５に囲まれた空隙部２２が形成されている。
【００２９】
図７（ａ）に示すように、第１列Ｌ１において、仮想中心線Ｚ２の左右には、それぞれ、３個の柱部１７が設けられていて、２個の第１の柱部１７ｂの間に、１個の第２の柱部１７ｃが配置されている。
また、図７（ｂ）に示すように、第２列Ｌ２において、仮想中心線Ｚ２の左右には、それぞれ、３個の第１の柱部１７ｂが設けられている。
第３列Ｌ３については、図７（ｃ）に示すように、すべて第１の柱部１７ｂによって構成されている。第４列Ｌ４における柱部１７の形状及び配置パターンは、第２列Ｌ２における補強部２１を第１の柱部１７ｂに置き換えたものである。第５列Ｌ５における柱部１７の形状及び配置パターンは、第１列Ｌ１と同様である。
【００３０】
図１及び図５に示すように、本体部２の一方の端部２ｃに２カ所、他方の端部２ｄに２カ所、毛部５が設けられていない空隙部２２が形成されている。空隙部２２には、本体部２の主面２ａから起立する補強部２１が設けられている。この補強部２１の寸法及び形状は、図７（ｂ）を参照して前述した補強部２１と同様である。
【００３１】
図８に示すように、本体部２の他方の主面２ｂ（すなわち、本体部２の裏面）２ｂには、複数の吸盤２６が設けられている。複数の吸盤２６は、主面２ｂの全面に千鳥配置されている。本体部２の外縁下端２５は、設置面Ｓ（図３）側に突出している。すなわち、足洗い具１を設置面Ｓに設置したとき、本体部２の主面２ｂの高さ位置は、本体部の外縁下端２５よりも高くなっている。また、足洗い具１を設置面Ｓに設置したときに、吸盤２６の下端２６ａが設置面Ｓに吸着すると共に、本体部２の外縁下端２５が設置面Ｓに接するように、吸盤２６の厚さ（高さ寸法）が設定されている。なお、図８は底面図であるため、下端側が図の手前に位置している。
【００３２】
図１及び図８に示すように、本体部２の一方の端部２ｃには、吊り下げ部３０が設けられている。吊り下げ部３０は板状の支持部３１と、支持部３１に設けられた貫通孔３２を備えている。
【００３３】
次に、足洗い具１の使用方法について説明する。
図９に示すように、足洗い具１を設置面Ｓに載置する。設置面Ｓは、例えば、浴室の床面である。このとき、本体部２の外縁下端２５と、吸盤２６の下端２６ａが設置面Ｓと接触することになる。また、複数の吸盤２６が設置面Ｓに吸着することによって、足洗い具１は、設置面Ｓに固定される。
次いで、利用者は、安定したところに座り、両足４０をブラシ部３の上に乗せる。このとき、足指４１が本体部２の一方の端部２ｃに位置し、踵４２が他方の端部２ｄに位置するように、足を乗せる。これにより、足指４１が長毛部８に対向し、足裏４３が短毛部９に載置されることになる。
【００３４】
足裏４３をブラシ部３と接触させたまま、足を長さ方向Ｙに前後に動かすと、足裏４３が複数の毛部５の先端部５ｄに擦られることによって、足裏４３の汚れが除去される。
また、足を前方向に動かすと、すなわち、長毛部８に足指４１を近づけると、足指４１の先端が傾斜部６に接触する。さらに足指４１を前に進めると、足指４１は、長毛部８を構成する複数の毛部５の間に入っていく。各毛部５は可撓性を有しているため、一部の毛部５は、進入する足指４１によって倒され、また、一部の毛部５は足指４１の間に入り込んでいく。足指４１の間に入り込んだ毛部５の側面５ｅは、足指４１の移動に伴って、足指４１の側面を擦っていく。これにより、足指４１の間の汚れも除去されることになる。
【００３５】
このように、短毛部９においては、足裏４３が毛部５の先端部５ｄによって擦られることにより、足裏４３の汚れが除去される。また、長毛部８においては、足指４１が、足指４１の間に入り込んだ毛部５の側面５ｅに擦られることにより、足指４１の間の汚れが除去されることになる。
【００３６】
また、足裏４３を前後方向Ｍに動かすと、短毛部９において、毛部５の先端部５ｄが足裏４３の移動に伴って倒れ、本体部の主面２ａから毛部５の先端部５ｄまでの高さが低くなる。これにより、第１の柱部１７ｂ及び第２の柱部１７ｃの先端面１８と足裏４３が接触する。したがって、土踏まずを含む足裏４３のツボが刺激されることになる。
【００３７】
なお、足洗い具１の利用時に、ボディーソープ等の洗浄剤を併用してもよい。この場合、足指４１及び足裏４３が毛部５に擦られることによって、洗浄剤の泡立ちがより促進され、洗浄効果がより高まることになる。
足洗い具１の使用後は、浴室の壁面等に設置されたフック等に吊り下げ部３０を引っ掛けて、足洗い具１を吊り下げておく。
【００３８】
以上より、本実施形態における足洗い具１によれば、本体部２の一方の端部２ｃに配置された毛部５の高さ寸法が、他方の端部２ｄに配置された毛部５の高さ寸法よりも大きいため、足裏４３に加えて、足指４１の間の洗浄効果も高めることができる。したがって、本実施形態に係る足洗い具１によれば、足裏４３に加えて、足指４１の間の洗浄効果も高めることができる。
【００３９】
また、ブラシ部３は、本体部２の一方の端部２ｃにおいて、高さ寸法の大きい複数の毛部５によって構成された長毛部８と、本体部２の他方の端部２ｄにおいて、高さ寸法の小さい複数の毛部５によって構成された短毛部９と、長毛部８と短毛部９の間において、高さ寸法の異なる複数の毛部５によって構成された傾斜部６とを備えている。傾斜部６においては、毛部５の高さ寸法が、短毛部９から長毛部８に向かうにつれて徐々に大きくなっている。
これにより、足指４１が長毛部８に進入する際に、長毛部８から受ける抵抗が緩和されることになる。すなわち、傾斜部６において、足指４１の先端が、徐々に長くなる毛部５に段階的に接することになるため、足指４１をよりスムーズに長毛部８に進入させることができる。
【００４０】
また、傾斜部６を構成する複数の毛部５の各先端面１１は、傾斜部６の傾斜に沿って傾斜している。
これにより、各毛部５の先端面１１を擦りながら長毛部８に進入する足指４１の移動がより滑らかになる。したがって、長毛部８に足指４１を進入させる際に、利用者に快適な触感を与えることができる。
【００４１】
本体部２を平面視したときに、ブラシ部３の長さ寸法は、本体部２の幅方向中央部１３から幅方向両端部２ｅ，２ｆに向かうにつれて長くなっている。これにより、足洗い具１の幅方向中央部１３の位置が明確になり、利用者が両足４０をブラシ部３に載置する際に、両足４０を置く位置を直感的に把握することができる。
【００４２】
また、板状の本体部２の一方の主面２ａに、毛部５よりも径寸法の大きい柱部１７が複数個設けられている。これにより、足裏４３の支持力を高めることができる。さらに、柱部１７によって足裏４３が刺激されるため、足裏４３のマッサージ及びツボ押し効果を発揮することができる。
【００４３】
柱部１７の高さ寸法は、毛部５の高さ寸法よりも小さい。これにより、足裏４３は柱部１７よりも先に毛部５と接触することになる。したがって、毛部５によって達成される洗浄力を低下させることなく、前述した柱部１７の効果を発揮することができる。
【００４４】
柱部１７が、複数の毛部５の間に配置されている。
これにより、柱部１７の配置領域１９においても、毛部５による洗浄効果を発揮することができる。また、毛部５には可撓性があるため、毛部５の先端部５ｄに擦り付けられる足裏４３の移動に伴って、毛部５が倒れることになる。しかしながら、足裏４３の移動によって毛部５が倒れる際に、毛部５の先端部５ｄが柱部１７にぶつかるため、柱部１７によって毛部５の傾きの程度を軽減することができる。したがって、足洗い具１の使用時において、ブラシ部３の上に載置された足裏４３の安定感を高めることができる。
【００４５】
複数の柱部１７の少なくとも一つは、先端面１８が曲面に構成されている略円柱形状の柱部１７ｂである。この場合、柱部１７の先端面１８が曲面であるため、足裏４３に快適な感触を与えると共に、マッサージ及びツボ押し効果をさらに高めることができる。また、略円柱形状の柱部１７ｂと略円錐形状の柱部１７ｃを比較した場合、略円柱形状の柱部１７ｂの方が、足裏４３に接触する領域が広いため、足裏４３のより広い領域に、より緩やかな刺激を与えることができる。
【００４６】
また、複数の柱部１７の少なくとも一つは、先端面が曲面に構成されている略円錐形状の柱部１７ｃである。この場合、柱部１７の先端面が曲面であるため、略円柱形状の柱部１７ｂと同様に、足裏４３に快適な感触を与えると共に、マッサージ及びツボ押し効果をさらに高めることができる。また、略円錐形状の柱部１７ｃと略円柱形状の柱部１７ｂを比較した場合、略円錐形状の柱部１７ｃの方が、足裏４３に接触する領域が狭いため、足裏４３のより狭い領域に、より強い刺激を与えることができる。
【００４７】
前述のように、本実施形態では、略円柱形状の柱部１７ｂと略円錐形状の柱部１７ｃを備えている。このように、異なる形状の柱部１７ｂ，１７ｃを設けることにより、足裏４３への刺激パターンに変化を与えることができる。
【００４８】
足洗い具１では、毛部５が可撓性を有している。したがって、足裏４３及び足指４１の移動に伴って、毛部５の先端部５ｄが倒れるため、柔らかく心地よい感触を利用者に与えることができる。また、柱部１７も可撓性を有している。したがって、可撓性がない場合と比較して、より柔らかい感触を足裏４３に与えることができる。
【００４９】
前述のように、足洗い具１には、空隙部２２が設けられている。空隙部２２から樹脂等の成形材料を注入することによって、足洗い具１を一体成型することができる。また、補強部２１を設けているため、毛部５が設けられていない空隙部２２において、本体部２を補強することができる。
また、足洗い具１において、外縁上端２３は、主面２ａよりも上方に突出している。したがって、主面２ａから起立する複数の毛部５の基端部５ｃを保護することができる。
【００５０】
また、足洗い具１の底面には、吸盤２６が設けられている。これにより、足洗い具１を設置面Ｓに固定することができる。
また、本体部２の外縁下端２５は、設置面Ｓ側に突出している。したがって、足洗い具１を設置面Ｓに設置したとき、本体部２の主面２ｂと設置面Ｓの間に空間が確保される。よって、吸盤２６の厚みがあっても、この空間に吸盤２６を収めることができる。これにより、足洗い具１を設置面Ｓに設置したときに、外縁下端２５が設置面Ｓに接して、吸盤２６が露出することなく、美観が高まる。また、本体部２の外縁下端２５と吸盤２６の両方によって、足洗い具１が支持されるため、設置した足洗い具１の安定感を高めることができる。
【００５１】
前述のように、足洗い具１には吊り下げ部３０が設けられている。これにより、足洗い具１の不使用時には、足洗い具１を吊り下げておくことができる。使用後に足洗い具１を吊り下げておくことにより、毛部５の間に水等が溜まることを防止でき、足洗い具１を清潔に保管することができる。
【００５２】
［他の実施形態］
以上、本考案の実施形態について述べたが、本考案は既述の実施形態に限定されるものではなく、本考案の技術的思想に基づいて各種の変形及び変更が可能である。例えば、前述の実施形態においては、長毛部８と短毛部９との間に傾斜部６を設けているが、これに限定されず、傾斜部６を設けなくてもよい。
【００５３】
本体部２を平面視したときに、ブラシ部３の長さ寸法は、本体部２の幅方向中央部１３から幅方向両端部２ｅ，２ｆに向かうにつれて長くなっているが、これに限定されない。平面視したときのブラシ部３の形状はどのような形状であってもよく、例えば、円形、四角形、三角形、星型又はハート型であってもよい。同様に、平面視したときの本体部２の形状もどのような形状であってもよく、円形、四角形、三角形、星型又はハート型であってもよい。
平面視したときのブラシ部３の形状と、本体部２の形状は異なっていてもよい。例えば、円形の本体部２に四角形のブラシ部３を設けてもよい。
【００５４】
前述の実施形態においては、柱部１７を設けているが、これに限定されず、柱部１７を設けていなくてもよい。また、柱部１７を設けた場合、その寸法、形状及び配置は、既述の寸法、形状及び配置に限定されない。
【００５５】
また、複数の毛部５を本体部２の主面２ａに対して、どのように配置してもよい。例えば、複数の毛部５の配列を、千鳥配列にしてもよいし、並列にしてもよいし、不規則な配列を採用してもよい。
【００５６】
既述の毛部５は、横断面が円形の長尺状部材であるが、どのような形状の毛部５を用いてもよい。例えば、円柱形状、円錐形状又は角柱形状であってもよい。また、異なる形状の毛部５を混在させてもよい。
既述の毛部５の先端面１１は平面であるが、曲面に構成してもよい。
【００５７】
既述の実施形態において、毛部５と柱部１７は可撓性を有しているが、これに限定されず、可撓性を備えていなくてもよい。また、足洗い具１を、どのような材料で形成してもよい。
また、足洗い具１の使用時において、水、お湯、又はソープ等の洗浄剤を用いてもよいし、これらを用いずに、足裏４３及び足指４１を毛部５によって擦るだけで足の汚れを除去してもよい。
【符号の説明】
【００５８】
１  足洗い具
２  本体部
２ａ  本体部の一方の主面
２ｂ  本体部の他方の主面
２ｃ  本体部の一方の端部
２ｄ  本体部の他方の端部
２ｅ，２ｆ  本体部の幅方向両端部
３  ブラシ部
５  毛部
６  傾斜部
８  長毛部
９  短毛部
１１  毛部の先端面
１３  本体部の幅方向中央部
１４  第１の凹部
１５  第２の凹部
１７  柱部
１７ｂ  第１の柱部
１７ｃ  第２の柱部
３０  吊り下げ部
【図１】
0003203632.tif 000003
【図２】
0003203632.tif 000004
【図３】
0003203632.tif 000005
【図４】
0003203632.tif 000006
【図５】
0003203632.tif 000007
【図６】
0003203632.tif 000008
【図７】
0003203632.tif 000009
【図８】
0003203632.tif 000010
【図９】
0003203632.tif 000011